(57)【要約】【課題】映像システムにおける映像切換装置の操作者は、モニタ棚等に配設した画像モニタの画面と手元の操作盤との間をその都度視線を上下等に転じ、押しボタンスイッチはその個々の標記等を確認して選択操作する必要があった。また、多数の画像モニタの配設は不経済で設置場所の問題もあった。これらの問題を解決する映像切換装置を提供する。【解決手段】入力映像信号に係る接続配線と出力バスとのクロスポイントに基づき押しボタンスイッチを配設した操作盤に液晶等表示素子を設けてそれぞれの前記映像信号に基づく少画素数で小型画面の画像を前記押しボタンスイッチに対応するように画面表示し、この画面に対応する押しボタンスイッチを直感的に迅速に選択操作できるようにする。【選択図】  図１
2005269586.tif 000002
【特許請求の範囲】
【請求項１】
複数の入力端子とこれに入力する映像信号に基づき画像信号を生成出力する表示手段と制御手段とを備え、前記入力端子に係る映像信号の接続配線とによりマトリクス状のクロスポイントを形成する１または複数出力の出力バスを備え、
前記制御手段を介してそれぞれ対応する前記クロスポイントをオン／オフの状態に作用する押しボタンスイッチを配設した操作盤を備え、前記操作盤にはそれぞれの前記画像信号に基づく少画素数で小型画面の画像を前記またはその一部の押しボタンスイッチの配設に対応するように画面表示する液晶等表示素子を設けた装置であって、
前記表示手段は前記少画素数の画像に適応するための補正／変換または画像処理などの信号処理手段を有することを特徴とする映像切換装置。
【請求項２】
それぞれの前記出力バスごとのクロスポイントに係る押しボタンスイッチは液晶等表示素子の前記画面表示と互いに前記対応してそれぞれ並列状に配設されることを特徴とする請求項１記載の映像切換装置。
【請求項３】
前記液晶等表示素子は前記押しボタンスイッチの押しボタン部分に装着または内蔵することを特徴とする請求項１または２に記載の映像切換装置。
【請求項４】
前記表示手段は液晶等表示素子の画面を複数に分割したそれぞれの少画素数の小型画面に縮小処理した複数の前記映像信号に基づく画面を表示する信号処理手段を有することを特徴とする請求項１または２に記載の映像切換装置。
【請求項５】
前記操作盤はノート型パーソナルコンピュータまたはコンピュータの端末装置であることを特徴とする請求項４記載の映像切換装置。
【発明の詳細な説明】
【技術分野】
【０００１】  本発明は、映像切換装置に係り、その操作盤に液晶等表示素子を設けて入力映像信号に基づく小型画面の画像を表示する手段に関する。
【背景技術】
【０００２】  従来、複数の入力映像信号を択一切換して出力する映像切換装置のシステムの多くは、モニタ棚等に複数の画像モニタを配設し入力映像信号等の画像を画面表示する。そして、操作者はその画面を参照し、切換出力する入力映像信号に対応した押しボタンスイッチを選択し、タイミングを計って押下げ等による切換操作を行う。【０００３】  通常の映像切換装置は、複数の入力端子に係る映像信号の接続配線と１または複数出力の出力バスとでマトリックス状のクロスポイントを形成し、また、その操作盤には、そのクロスポイントを直接または半導体スイッチ素子等を介してオン／オフの状態に作用する押しボタンスイッチが設けられる。
これらの押しボタンスイッチは、これを個々に識別する標記等に基づき操作者により選択操作されてオン／オフ動作する。そして、これに対応するクロスポイントをオンの状態に作用し、それぞれの入力映像信号が出力バスごとに択一切換されて出力される。
また、映像切換装置には、ワイプ、ディゾルブなどの効果を備えた切換制御の機能、または画面の拡大・縮小・移動等に基づく特殊効果の機能を備えたものがある。【０００４】  ここで、特に監視装置その他民生機器などにおける映像切換装置のシステムにおいて、前述のような画像モニタの画面は、切換操作のための参照およびタイミングを計るためであれば、それは経済性および簡便性の観点から、通常の大きさの画面より画素数の少ない小型画面でも足りる場合が多い。【０００５】  ところで近年、映像機器または携帯電話その他の分野において、フラットパネルディスプレイである液晶ディスプレイ（ＬＣＤ）またはプラズマ／有機ＥＬディスプレイなどの表示素子（以降は液晶等表示素子と記載する）による画面表示が普及し、従来に比して非常に小型画面の表示も可能で、そのローコスト化も急速に進歩している。
また、従来、監視装置などで、画像モニタなどの一つの画面を４分割または９〜１６分割等に複数分割したそれぞれの少画素数の小型画面ごとに、画像処理および走査変換等により縮小処理した複数の画像を表示する分割多画面の表示が行なわれている。
【発明の開示】
【発明が解決しようとする課題】
【０００６】  前述のように、操作者は、画像モニタの画面を参照し、押しボタンスイッチをその個別の標記等により選択し、タイミングを計って切換操作する。
そのため、モニタ棚等に配設した複数の画像モニタと手元の操作盤との間を、その都度視線を大きく上下等に転じて操作しなければならない。また、モニタ棚等への複数の画像モニタの配設は不経済で、その設置場所の問題もある。【０００７】  本発明は、このような背景になされ、操作盤に液晶等表示素子を設け、それぞれの入力映像信号に基づく画像を押しボタンスイッチの配設に対応するように画面表示する。
これにより、操作者は、その都度視線を大きく上下等に転じることなく、手元の操作盤に備えた小型画面の画面表示を参照し、これに対応する押しボタンスイッチを直感的に迅速に選択しタイミングを計って切換操作でき、さらに、複数の画像モニタの配設およびその設置場所の問題を排除して、多機能で簡便および経済的で移動にも便利であり、また、その操作盤は携帯用またはリモートコントローラとすることも可能なシステムを構築できる映像切換装置の提供を目的とする。
【課題を解決するための手段】
【０００８】  本発明は上記目的を達成するために、次の課題解決手段によりこの問題を解決した。
本発明の一つの観点は映像切換装置であって、本発明の特徴とする第１の課題解決手段は、複数の入力端子とこれに入力する映像信号に基づき画像信号を生成出力する表示手段と制御手段とを備え、前記入力端子に係る映像信号の接続配線とによりマトリクス状のクロスポイントを形成する１または複数出力の出力バスを備え、前記制御手段を介してそれぞれ対応する前記クロスポイントをオン／オフの状態に作用する押しボタンスイッチを配設した操作盤を備え、前記操作盤にはそれぞれの前記画像信号に基づく少画素数で小型画面の画像を前記またはその一部の押しボタンスイッチの配設に対応するように画面表示する液晶等表示素子を設けた装置であって、前記表示手段は前記少画素数の画像に適応するための補正／変換または画像処理などの信号処理手段を有するところにある。【０００９】  これにより、操作者は、従来のようにモニタ棚等の画像モニタと操作盤との間をその都度視線を大きく上下等に転じることなく、手元の操作盤において小型画面の画面表示を参照して、これに対応する押しボタンスイッチを直感的に迅速に選択しタイミングを計って切換操作できる。また、複数の画像モニタの配設およびその設置場所が不要となり、簡便および経済的で移動にも便利なシステムの構築ができる。【００１０】  本発明の次の観点は、以下のように本映像切換装置に備えた操作盤に関する。
すなわち、第２の課題解決手段は、それぞれの前記出力バスごとのクロスポイントに係る押しボタンスイッチは液晶等表示素子の前記画面表示と互いに前記対応してそれぞれ並列状に配設されるものである。【００１１】  これにより、前記出力バスごとの押しボタンスイッチとこれに対応する画面表示との配設上の対応関係が単純となり、押しボタンスイッチの選択とその操作が容易となる。
また、出力バスが複数の場合、それぞれの押しボタンスイッチは前記各映像信号に基づき区分されて一列状に配列され、その区分ごとの複数の押しボタンスイッチは該映像信号による最低一つの画面でもその区分を代表する画面表示ができる。【００１２】  さらに、第３の課題解決手段は、前記液晶等表示素子は前記押しボタンスイッチの押しボタン部分に装着または内蔵するものである。【００１３】  したがって、その液晶等表示素子を操作盤に前記配設または設ける場所が不要となり、また、個々の押しボタンスイッチにそれぞれ直接対応する画面表示ができる。【００１４】  さらに、第４の課題解決手段として、前記表示手段は、液晶等表示素子の画面を複数に分割したそれぞれの少画素数の小型画面に縮小処理した複数の前記映像信号に基づく画面を表示する信号処理手段を有する。
また、第５の課題解決手段は、上記第４の課題解決手段における操作盤はノート型パーソナルコンピュータまたはコンピュータの端末装置とする。【００１５】  上記第４の課題解決手段により、その数が集約または単一化された液晶等表示素子に前記押しボタンスイッチに対応するように分割多画面表示できて小型化され、携帯用またはリモートコントローラ用の操作盤が実現でき、または、多数の入力映像信号に対応する画面表示が簡便に経済的にできる。
さらに、第５の課題解決手段によれば、そのコンピュータ制御機能とその画面表示機能を利用して前記画面表示ができ、また、映像切換に係るワイプ、ディゾルブなどの効果をともなう映像切換制御、および画面の拡大・縮小・移動等に基づく特殊効果などの機能とこれらの画面表示に利用でき、移動または携帯にも便利である。
【発明の効果】
【００１６】  本発明によれば、操作者は、モニタ棚等に配設した複数の画像モニタと手元の操作盤の押しボタンスイッチとの間を、その都度視線を大きく上下等に転じることなく、手元の操作盤に備えた小型画面による入力映像信号等の画像表示を確認しこれに対応して配設された押しボタンスイッチを直感的に迅速に選択し、タイミングを計って切換操作できる。
さらに、画像モニタの配設およびその設置場所が不要となり、多機能で簡便および経済的で、移動にも便利であり、または、その操作盤は小型化により携帯用またはリモートコントローラとしても可能なシステムを構築できる映像切換装置を提供できる。
【発明を実施するための最良の形態】
【００１７】  本発明を実施するための実施の形態を図１〜図４を参照して説明する。図１は本発明実施例１の映像切換装置の要部構成図である。図２は同映像切換装置の操作盤に係る実施例２の上面図である。図３は同映像切換装置の操作盤に係る実施例３の上面図である。図４は同映像切換装置の操作盤に係る実施例４の斜視図である。【００１８】  図においては、１は入力端子、２はＢＡ、３は出力バス、４は増幅器、５はバス端子、６は液晶等表示素子、７は表示手段、８は操作盤、９は押しボタンスイッチ、１０は制御手段、Ｘはクロスポイントである。
【実施例１】
【００１９】  本実施例１の映像切換装置は、図１に示すように、複数の入力端子１とこれに入力する映像信号に基づき画像信号を生成出力する表示手段７と制御手段１０とを備え、前記入力端子１に係る映像信号の接続配線とによりマトリクス状のクロスポイントＸを形成する１または複数出力の出力バス３を備え、制御手段１０を介してそれぞれ対応する前記クロスポイントＸをオン／オフの状態に作用する押しボタンスイッチ９を配設した操作盤８を備え、操作盤８にはそれぞれの前記画像信号に基づく少画素数で小型画面の画像を前記またはその一部の押しボタンスイッチ９の配設に対応するように画面表示する液晶等表示素子６を設けた装置であって、表示手段７は前記少画素数の画像に適応するための補正／変換または画像処理などの信号処理手段を有することを特徴とする。【００２０】  上記構成により、入力端子１に入力したそれぞれの映像信号はＢＡ（バッファアンプ）２を介して出力する。これらの出力を入力した表示手段７で生成出力される画像信号は、操作盤８のそれぞれの液晶等表示素子６に画面表示される。
また、それぞれの前記映像信号に係る接続配線と出力バス３とにより形成されるマトリックス状のクロスポイントＸに基づき、これに対応する押しボタンスイッチ９を操作盤８に配設する。
そして、押しボタンスイッチ９の押し下げ等の操作により、そのスイッチ部分がオン／オフ動作し、これは制御手段１０を介して前記対応するクロスポイントＸをオンの状態に作用する。この作用は、上記動作の直接の作用でも、またはクロスポイントＸに設けた半導体スイッチ素子等を介した作用によるものでもよい。
また、それぞれの出力バス３ごとのクロスポイントＸに係る押しボタンスイッチ９は、出力バス３ごとに択一切換の動作をする。択一切換された前記映像信号は、それぞれの出力バスを介し当該の増幅器４で増幅されてバス端子５に出力する。【００２１】  さらに、操作盤８には、これに設けることができる大きさおよび形状の液晶等表示素子６を備え、それぞれの前記画像信号に基づく画像を、前記押しボタンスイッチ９またはその一部の押しボタンスイッチ９の配設に対応するように画面表示する。したがって、そのそれぞれの画面表示は、必然的に画素数の少ない小型画面による必要がある。
そこで、表示手段７は、入力した映像信号の周波数帯域制限等の補正、または走査変換、もしくはディジタル画像処理などの信号処理手段を有して少画素数で小型画面の画像に適応できる画像信号を生成出力する。このようにして、操作者は、操作盤８に表示される画面表示を参照し、択一切換すべき押しボタンスイッチ９を選択しタイミング計り、直感的に迅速に操作できる。
なお、本発明による押しボタンスイッチ９と液晶等表示素子６との前記対応する表示は、従来の操作盤の一部の押しボタンスイッチに対する実施でもよい。
【実施例２】
【００２２】  ここで、前記第２の課題解決手段に係る実施例２を、図２を参照して説明する。
前述において、それぞれの出力バス３ごとのクロスポイントＸに係る押しボタンスイッチ９は液晶等表示素子６の前記画面表示と互いに前記対応してそれぞれ並列状に配設されることが望ましい。【００２３】  図２に示すように、それぞれの出力バス３ごとのクロスポイントＸに係る押しボタンスイッチ９またはその一部の押しボタンスイッチ９は、液晶等表示素子６によるそれぞれの前記映像信号に基づく画面表示と互いに対応しながら、それぞれ並列状に配設される。
これにより、出力バス３が複数の場合、それぞれの押しボタンスイッチ９は、上記各映像信号に基づき区分されて縦一列状に配列される。その区分ごとの複数の押しボタンスイッチ９は、該映像信号による最低一つの画面でもその区分を代表する画面表示ができる。
【実施例３】
【００２４】  また、第３の課題解決手段に係る実施例３を、図３を参照して説明する。
前記液晶等表示素子６は、前記押しボタンスイッチ９の押しボタン部分に装着または内蔵することができる。【００２５】  図３に示すように、操作盤８に配設された前記押しボタンスイッチ９、またはその一部の押しボタンスイッチ６の押しボタンの部分に前記液晶等表示素子６を装着または内蔵し、該押しボタンスイッチの上面に、これに対応する前記画像信号を画面表示する。
【実施例４】
【００２６】  さらに、第４および第５の課題解決手段に係る実施例４を、図４を用いて説明する。
表示手段７は、液晶等表示素子６の画面を複数に分割したそれぞれの少画素数の小型画面に縮小処理した複数の前記映像信号に基づく画面を表示する信号処理手段を有する。また、実施例４の操作盤８は、ノート型パーソナルコンピュータまたはコンピュータの端末装置を用いる。【００２７】  表示手段７は、液晶等表示素子６の画面を、例えば１６分割したそれぞれの少画素数の小型画面ごとに、画像処理および走査変換等により縮小処理した前記映像信号に基づく画面を分割多画面表示する信号処理手段を有し、操作盤８に具備した液晶等表示素子６に分割多画面表示する。
この場合、前記分割多画面表示する液晶等表示素子６は単一でも、または複数の液晶等表示素子６の一部であってもよい。また、前記分割多画面のそれぞれの画面は同一の大きさでなくても良い。
さらにまた、操作盤８は、液晶等表示素子６およびキーボード等による押しボタンスイッチ９を備えたノート型パーソナルコンピュータまたはコンピュータの端末装置とすることもできる。そのコンピュータ機能とその画面表示機能を利用して、映像切換に係るワイプ、ディゾルブなどの効果をともなう映像切換制御、および画面の拡大・縮小・移動等に基づく特殊効果などの機能とこれらの画面表示に利用できる。【００２８】  ここで、図１において、本発明の映像切換装置の表示手段７はその画像信号出力に文字または記号などの情報信号を生成して附加することができ、また、入力端子１の映像信号以外の映像信号を入力して前記画面表示することもできる。さらに、表示手段７は映像切換装置の外部装置として備えてもよい。バス端子５の出力は、本装置にワイプなどの切換または画面の特殊効果などの手段を備えた場合、該手段に接続して使用できる。
なお、本発明の操作盤８における押しボタンスイッチ９の配設と液晶等表示素子６の画面表示との対応関係は、前記実施例１〜４による対応関係を併用しても良い。
【産業上の利用可能性】
【００２９】  移設または移動する映像システム、または、多数の入力映像信号による画面を確認する必要のあるルーティングスイッチャなどに適用できる。
【図面の簡単な説明】
【００３０】
【図１】本発明実施例１の映像切換装置の要部構成図。
【図２】同映像切換装置の操作盤に係る実施例２の上面図。
【図３】同映像切換装置の操作盤に係る実施例３の上面図。
【図４】同映像切換装置の操作盤に係る実施例４の斜視図。
【符号の説明】
【００３１】１  入力端子
２  ＢＡ
３  出力バス
４  増幅器
５  出力端子
６  液晶等表示素子
７  表示手段
８  操作盤
９  押しボタンスイッチ
１０  制御手段
Ｘ  クロスポイント
【図１】
2005269586.tif 000003
【図２】
2005269586.tif 000004
【図３】
2005269586.tif 000005
【図４】
2005269586.tif 000006